(57)【要約】【課題】生産性及び経済性に優れた箔熱転写神札を提供する。【解決手段】シート状の基材２と、基材２の上に転写により印刷されるトナー３と、トナー３を感知し、トナー３の上に付着される粘着剤４と、粘着剤４の上に付着される箔５とが積層して形成され、粘着剤４と箔５とは一体となってトナー３上に熱転写されている。また、透明性を有する熱可塑性樹脂シート６が互いに熱圧着された状態で、箔５が熱転写された基材２の表裏面を覆っていることもある。【選択図】図１
0003131030.tif 000002
【実用新案登録請求の範囲】
【請求項１】
シート状の基材と、
前記基材の上に転写により印刷されるトナーと、
前記トナーを感知し、前記トナーの上に付着される粘着剤と、
前記粘着剤の上に付着される箔とが積層して形成され、
前記粘着剤と前記箔とは一体となって前記トナー上に熱転写されていることを特徴とする箔熱転写神札。
【請求項２】
透明性を有する熱可塑性樹脂シートが互いに熱圧着された状態で、前記箔が熱転写された前記基材の表裏面を覆っていることを特徴とする請求項１に記載の箔熱転写神札。
【考案の詳細な説明】
【技術分野】
【０００１】
本考案は、生産性及び経済性に優れる箔熱転写神札に関する。
【背景技術】
【０００２】
この種の箔熱転写神札は例えば下記の特許文献１に示すお守りに開示されている。このお守りは携帯性を重視したお守りであり、財布や定期等に収納して常時携帯することができる。このお守りは、紙等の基材に粘着剤を塗布し、剥離紙で粘着剤面を被覆させ、非粘着面に箔押し等により絵柄等を形成させる粘着シートと、粘着シートの非粘着面を被覆させる接着シートとで構成されている（特許文献１参照）。
【０００３】
【特許文献１】実開平４−４０８６８号公報
【考案の開示】
【考案が解決しようとする課題】
【０００４】
特許文献１に示すお守りの絵柄等が例えば箔押しにより形成される場合、版を使用して箔を粘着シートに転写する箔押し工程を有するので、お守りの作成に関して長い時間を要する。この場合、版を作成する必要があるので、お守りの製造コストが高い。さらに、版の構造上、デザインの変更や版の損傷の毎に版を交換しなければならないので、ランニングコストが高い。
【０００５】
また、箔押しは一般的に、粘着シート等の対象物の上に置かれ、箔が付着されたフィルムをお守りの絵柄等の模様が施された凸状の版を用いて転写される。この場合、対象物に写し出された部分以外の部分のフィルムは廃棄されるので、模様の内容によっては廃棄物が大量に発生する。
【０００６】
本考案は上記の事情を鑑みてなされたものであり、その目的とするところは、生産性及び経済性に優れた箔熱転写神札を提供することである。
【課題を解決するための手段】
【０００７】
請求項１に記載の考案は、箔熱転写神札であって、シート状の基材と、基材の上に転写により印刷されるトナーと、トナーを感知し、トナーの上に付着される粘着剤と、粘着剤の上に付着される箔とが積層して形成され、粘着剤と箔とは一体となってトナー上に熱転写されていることを特徴とする。
【０００８】
本考案の箔熱転写神札は例えばレーザープリンタを用いてトナーを基板に転写して印刷させ、その基板に印刷されたトナーに箔が熱転写されるので、特許文献１のお守りのように手間の掛かる箔押し工程は行われず、作成時間が短縮される。さらに、ＰＣの設計や描画を行うアプリケーションソフトを用いて絵柄等の模様を作成し、レーザープリンタで基板に印刷することが可能であるので、模様は簡単に変更され、且つ細部まで表現される。
【０００９】
箔はトナーを感知する粘着剤と一体化されているので、トナーが転写されている基材に熱転写される時は、トナーが存在する部分、すなわち模様の部分のみ必要最低限の分量しか熱転写されない。
【００１０】
また、版を必要としないので、設備費用が削減される。
【００１１】
箔熱転写神札には、透明性を有する熱可塑性樹脂シートが互いに熱圧着された状態で、箔が熱転写された基材の表裏面を覆っている場合がある（請求項２）。この場合、耐久性及び防水性が高められるので、製品寿命が長くなる。
【考案の効果】
【００１２】
本考案は、上記の通り、基材とその上にレーザープリンタによって熱転写されるトナー、粘着剤及び箔とで構成されているので、生産性及び経済性に優れた箔熱転写神札を提供することができる。
【考案を実施するための最良の形態】
【００１３】
以下、図面に基づいて本考案の実施の形態を詳細に説明する。本実施の形態は神札の形式の１つであるお守り１に関するものである。
【００１４】
図１、図２に示すように、お守り１は紙等の矩形状に形成された基材２と、基材２の上に付着されたトナー３と、トナー３に反応する性質を有すると共に粘着する粘着剤４と、粘着剤４と一体化してトナー３に粘着する箔５とを備えて積層構造をなし、これらの表面全体は熱圧着によってラミネート等の熱可塑性樹脂シート６に被覆されている。
【００１５】
基材２に例えば仏像等の絵柄や仏像名や寺名及び神社名等の文字がトナー３、粘着剤４及び箔５によって形成されている。トナー３、粘着剤４及び箔５は平面視同一形状で積層されて一体化されている。
【００１６】
熱可塑性樹脂シート６は基材２の表裏面全体を被覆するので、基材２より大きく形成される。ここで、美観性及び経済性の観点から熱可塑性樹脂シート６と基材２とが略相似関係を有することが望ましい。さらに熱可塑性樹脂シート６の基材２を被覆しない部分、すなわち熱可塑性シート６の重なり代を確保するために熱可塑性樹脂シート６が全周に渡って数ミリ程度大きく形成されることが望ましい。熱可塑性樹脂シート６は指等の身体に切り傷等の外傷を負わせないように面取りされている。
【００１７】
さらに、財布等に収納して携帯させるために、熱可塑性樹脂シート６はテレホンカードや免許証等と同等かそれより小さく形成されている。
【００１８】
次に、お守り１の製造方法について説明する。最初に、例えばＰＣの設計や描画を行うことができるアプリケーションソフトを用いて、仏像等の絵柄や仏像名等の名称が写し出される、お守り１の模様を作成（入力）する。この際、完成させるお守り１はテレホンカード等と同等かそれより小さく形成されることから、例えばＡ４サイズで出力できるように出力サイズを設定すると、図３に示すような１枚の基材２に多くの模様を作成することができる。
【００１９】
次いで、ＰＣに接続された図示されないレーザープリンタを用いてＰＣに入力されたお守り１の模様を上記設定された出力サイズの基材２にトナー３の転写によって印刷（出力）すると、図４に示すようになる。
【００２０】
図５に示すように、お守り１の模様が印刷された基材２にトナー３に反応する粘着剤４と一体となっている箔５を所定の機械９を用いて熱転写させると、粘着剤４はトナー３に反応するので、箔５は粘着剤４と一体となって基材２に印刷されたトナー３の上に熱転写される。したがって、多くのお守り１の模様を簡単に基材２に写し出すことが可能である。従来のように版を用いて同様の作業を行うと、大きな版、それに伴う大きな機械本体が必要となるので設備費用が高くなる。
【００２１】
その後、図６に示すように、基材２を所定規格で裁断するとお守り１が完成する。ここで、お守り１に所望の耐久性及び防水性を必要とする場合は、お守り１の表裏面全体を例えば図示されない熱圧着機能を有する機械を用いて熱可塑性樹脂シート６で被覆することがわかる。その様子を図７に示す。
【００２２】
お守り１の劣化を防止するために例えば図８乃至図１０に示すようなお守り入れ７を併用することができる。お守り入れ７は、例えば片面が合成繊維等の短い繊維で覆われた粗い素地１１、他面が合成皮革等の滑らかな素材１２からなる合成生地を用いて、平面視略矩形状の２つ折りに形成されている。したがって、外側が粗い面、内側が滑らかな面となる。
【００２３】
図８、図９に示すように、お守り入れ７の外周縁は所定の幅ｔでコ字状に圧着されているので、図１０に示すように、お守り入れ７にはお守り収納部８が形成される。ここで、お守り入れ７の大きさはテレホンカード等と同程度の規格に形成され、お守り収納部８は収納されるお守り１より僅かに大きく形成されることが望ましい。また、図９に示すように、お守り入れ７の片方の面は、お守り１がお守り収納部８に収納される際に、その一部分が露出するように小さく形成されているので、お守り１の出し入れが容易となっている。
【００２４】
お守り収容部８がお守り１より僅かに大きいことで、図１１に示すように、例えばお守り１が収納されたお守り入れ７を財布１０に収納して携帯することが可能となる。この時、お守り入れ７の外側は粗い面であるので財布等から抜けにくい。また、内側は滑らかな面であるのでお守り１を出し入れし易い。  
【００２５】
基材２にお守り１の模様をトナー３の付着により写し出す方法は上記の方法に限るものではなく、例えば多数の模様がトナー３の付着により写し出されたＡ４サイズの原紙を作成し、それをトナーを利用するコピー機によって複製してもよい。
【００２６】
本実施の形態ではお守り１について説明したが、これに限られるものではなく神札の他の形式であるお札にも適用できる。
【００２７】
また、上記のように１枚の基材２から小さく携帯可能な複数枚のお守り１を作成させる以外に、１枚の基材から１枚のお守りを作成させてもよい。この場合、お守り１やお札等の神札を額縁等に入れて部屋に置いておくことも可能である。
【００２８】
神札の大きさは上記のようにＡ４サイズに限るものではなく、所定の機械９の性能に応じて適宜に設計することができる。
【図面の簡単な説明】
【００２９】
【図１】お守りを表した平面図である。
【図２】お守りを表したＡ−Ａ断面図である。
【図３】裁断される前の基材を表した斜視図である。
【図４】基材に多くの模様が印刷された状況を表した斜視図である。
【図５】基材に箔が熱転写された状況を表した斜視図である。
【図６】基材が裁断された状況を表した斜視図である。
【図７】お守りが熱可塑性樹脂シートで被覆されている状況を表した斜視図である。
【図８】お守り入れを表した平面図（表側）である。
【図９】お守り入れを表した正面図（裏側）である。
【図１０】お守り入れを表したＢ−Ｂ端面図である。
【図１１】お守りが収納されたお守り入れが財布に収納されている状況を表した斜視図である。
【符号の説明】
【００３０】
１………お守り（箔熱転写神札）
２………基材
３………トナー
４………粘着剤
５………箔
６………熱可塑性樹脂シート
７………お守り入れ
８………お守り収納部
９………所定の機械
１０……財布
１１……粗い素地
１２……滑らかな素地
【図１】
0003131030.tif 000003
【図２】
0003131030.tif 000004
【図３】
0003131030.tif 000005
【図４】
0003131030.tif 000006
【図５】
0003131030.tif 000007
【図６】
0003131030.tif 000008
【図７】
0003131030.tif 000009
【図８】
0003131030.tif 000010
【図９】
0003131030.tif 000011
【図１０】
0003131030.tif 000012
【図１１】
0003131030.tif 000013